(57)【特許請求の範囲】
【請求項１】
梱包体のコーナー外面に当接させて滑らせる山形定規に、カッター挟持体を受け入れる貫通孔を設けたカッター支持部を一体に形成し、このカッター支持部にカッターを挟持したカッター挟持体を装填し、上記カッターの刃先が上記梱包体の内側コーナーに突き出るように取り付け、取り替え可能にしてなる開梱用カッターにおいて、上記カッター支持部は、上記山形定規に対して直交するように山形定規の両翼に設け、上記カッター支持部の貫通孔の片面にカッターの刃先位置調節ノッチを設けてあり、上記カッター挟持体は、ヒンジに繋がれた開・閉可能の蝶番からなり、該蝶番にはカッターを受け入れる窪みと二個の突起およびこの突起を受け入れる孔とがあり、上記ヒンジ部に設けた窪みにΩ状バネが装填され、このΩ状バネが上記刃先位置調節ノッチに係合するようにしてなることを特徴とする開梱用カッター。
【請求項２】
上記カッター保持部に装填されるカッター挟持体は、カッター挟持体に形成された段部がカッター保持部に形成された凸軌道に係合して横揺れを規制され、カッター挟持体から突き出たΩ状バネの先端は、カッター保持部に設けた刃先位置を調節するノッチに嵌り、カッターの刃先が開梱状態と収納状態に調節可能にしたことを特徴とする請求項1に記載の開梱用カッター。
【発明の詳細な説明】
【０００１】
【発明の属する技術分野】
この発明は、カートンにて包装された商品、特に一個のカートンに多数の商品を梱包している商品の開梱に適したカッターに関する。
【０００２】
【従来の技術】
今日、多くの商品の包装がカートンに詰められるようになり、流通過程の各段階の出荷の状況・小売り店頭の展示状況を観ると次のような状況である。
【０００３】
中間流通過程で、顧客からの単位カートンに満たない受注のために物流基地ではカートンの蓋を開けてラックに収容し、発注があれば直ちに発送できるように備える。
【０００４】
また、量販店では、カートンの蓋を開け、商品をそのまま陳列し、顧客がカートンから直接商品を取り出せるようにして人件費の節約や売り場のスペースを有効に活用して少しでも廉価に提供しようとする傾向がある。
【０００５】
ところで、一部のカートンには、その周囲に引き裂き易い部分を形成し、その部分に引き裂きテープを埋め込んだもの、あるいは、引き裂き紐を周囲に巡らせて開梱し易くしたものがあるが、多くはカートンのフラップを開くか、図１２のようにカートン８１の上部周囲にカッター８２で切り込みを入れカートン８１を開くようにしている。
【０００６】
【発明が解決しようとする課題】
上記のようにカッター８２でカートン８１の上部に素早く切り込みを入れるこは一定の熟練を必要とし、慣れない者がすると内部の商品Ｓに切り疵を入れてしまうこともあり、勢い余って大腿部や指先を切創する恐れもある。
【０００７】
上記問題を解決するものとして、図９乃至１１に示すように、開梱用カッター１０は、短冊状のアクリル板１１a ，１１b の縁を９０度の角度で突き合わせ接着して山形定規１２とし、この山形定規１２の片側の縁１３を４５度に削り、この縁１３に、短冊状のアクリル板１４の片縁１５を４５度に削り、全長のほぼ３分の１の部分にＪ字状の切り込み１６を設け、該部分の残りの面を削って磁石板１７とカッター１８が嵌まる幅広の溝を形成したカッター取り付け板２０を接着し、上記カッター取り付け板２０が接着された山形定規１２の前端に窪み２１を設け該窪み２１に磁石板２２を貼り付けて予備カッター２３の収容部２４とし、上記山形定規１２の稜線部分１２’に把手２５を設けてなる。なお、カッター取り付け板２０の後端の孔２６は図示しない吊り下げ紐を通す孔である。
【０００８】
上記カッター取り付け板２０の幅広の溝に磁石板１７を貼り付け、これを上記アクリル板１４の片縁１５を４５度に削った部分に接着すると、４５度に削った面と磁石板１７を貼り付けた部分との間にカッター１８を差し込むスリット２７が形成される。なお、スリット２７の奥には突起が形成され、それ以上に差し込めない構造になっている。
【０００９】
上記突起は、カッター１８の刃先が上記山形定規１２の二等分線を越えカートン２９のコーナーに十分切り込みを入れられる位置まで突き出るように設けられ、セットされたカッター１８は山形定規１２の二等分線に対し直角方向に突き出るようになって、カートン２９のコーナー部内側にできる窪みライン３０に到達するようになっている。
【００１０】
本発明は上記状況に鑑み、カートンのコーナー周縁に、素早く確実に、かつ、安全に、内部の商品を疵つけることなく切り込みを入れることのできるカッターを提供することを課題とする。
【００１１】
【課題を解決するための手段】
上記課題を解決するためにこの発明は、梱包体のコーナー外面に当接させて滑らせる山形定規に、カッター挟持体を受け入れる貫通孔を設けたカッター支持部を一体に形成し、このカッター支持部にカッターを挟持したカッター挟持体を装填し、上記カッターの刃先が上記梱包体の内側コーナーに突き出るように取り付け、取り替え可能にしてなる開梱用カッターにおいて、上記カッター支持部は、上記山形定規に対して直交するように山形定規の両翼に設け、上記カッター支持部の貫通孔の片面にカッターの刃先位置調節ノッチを設けてあり、上記カッター挟持体は、ヒンジに繋がれた開・閉可能の蝶番からなり、該蝶番にはカッターを受け入れる窪みと二個の突起およびこの突起を受け入れる孔とがあり、上記ヒンジ部に設けた窪みにΩ状バネが装填され、このΩ状バネが上記刃先位置調節ノッチに係合するようにしてなり、上記カッター保持部に装填されるカッター挟持体は、カッター挟持体に形成された段部がカッター保持部に形成された凸軌道に係合して横揺れを規制され、カッター挟持体から突き出たΩ状バネの先端は、カッター保持部に設けた刃先位置を調節するノッチに嵌り、カッターの刃先が開梱状態と収納状態に調節可能にしてなる構成を採用したものである。
【００１２】
上記の如く構成するこの発明は、定規によってカッターの位置が決まり、刃先が所定の突き出しとなって定規の角部に納まっているので、素早く、安全確実に、しかも、内部の商品に疵を付けることなく切り開くことができる。
【００１３】
【発明の実施の形態】
次に、この発明の実施形態を図面を参照しながら説明する。図１乃至図７はこの発明の実施形態に係り、図１（ａ）はこの実施形態の一部切り欠き正面図、図１（ｂ）はカッター箱を開いた状態の斜視図、図２（ａ）はカッター挟持体の斜視図、同図（ｂ）はカッター挟持体を開いた状態の平面図、図３（ａ）はカッター挟持体の装填説明図、同図（ｂ）は装填後の断面図、図４は全体の斜視図、図５は同側面図、図６は下側から見た斜視図、図７は使用状態図である。
【００１４】
図１に示すように、この実施形態は、山形定規４２、カッター保持部４３、予備カッター箱４４およびカッター挟持体４５とからなり、山形定規４２の片端両翼にカッター保持部４３が一体に設けられ、カッター保持部４３にはカッター挟持体４５を受け入れる貫通孔４６が設けられ、該貫通孔４６にはカッター挟持体４５に挟まれたカッター４８の刃先位置を調節するノッチ４７が設けられている。
【００１５】
予備カッター箱４４は、内部にカッター４８の収納区画６８、バネ片４９、軸受け５０とそれに支承され、バネ５１により付勢された天秤５２、天秤と一体のフック５３と箱４４の外に突き出た摘まみ５４が配設されている。
【００１６】
予備カッター箱４４には、蓋４１がヒンジ５５a により回動自在に取り付けられ上記バネ片４９により常時開く方向に付勢され、上記フック５３は蓋４１の内面に設けられた掛け爪５６に引っ掛かるようになっている。
【００１７】
図２に示すように、カッター挟持体４５はプラスチックを射出成形してなり、カッター４８を受け入れる窪み５７（図３（ｂ）参照）と、位置決め用の二個の突起５８およびこの突起を受け入れる孔５９と、Ω状バネ６０を嵌める窪み６１と、挟持体全体を開閉するための切り欠き６２とを設け、カッター４８を挟まない部分は肉圧を大きくした段部６３a を形成し、カッター４８を挟む部分は逆に凹んだ段部６３b を形成した二枚の蝶番６４がヒンジ５５b で繋がった状態に形成されている。
【００１８】
カッター４８を受け入れる窪み５７と突起５８にカッター４８を嵌め、Ω状バネ６０を窪み６１に嵌めて蝶番６４を折り畳むと図２（ａ）のようになり、このとき図３（ｂ）に見られるように蝶番６４の対抗面の周囲に凸条６５と凹溝６６が設けられて互いに嵌まり合うようになり、Ω状バネ６０は外側に若干突き出るようになっている。
【００１９】
カッター４８を挟持した挟持体４５は、図３に示すようにカッター保持部４３に装填されるが、このとき段部６３b にカッター保持部４３の凸軌道６７に係合して横揺れを規制し、Ω状バネ６０が上記ノッチ４７に嵌まって刃先を開梱作業状態と収納状態の二段階に調節できるようにしている。カッター保持部４３は山形定規４２の両翼に設けられて、使用者が右利き・左利きのどちらであっても使えるようにしてある。
【００２０】
図４乃至図６はカッター４８を挟持体４５を介して保持体４３に装填して使用できる状態を示し、図４，図５では開梱作業状態のノッチ４７a にΩ状バネ６０が嵌まってカッター４８が大きく突き出しているが、開梱作業が終了すると収納側のノッチ４７b にΩ状バネ６０を嵌めて安全状態にする。
【００２１】
カッター４８の刃先が磨耗してきたときは、図２（ｂ）のように挟持体４５の蝶番６４を開いてカッター４８を裏返して嵌め蝶番６４をとじて新しい刃を出して作業を続ける。
【００２２】
カッター４８を裏返して使用し、両側の刃が磨耗したときは、図１（ａ）に示すように、箱４４から突き出た摘まみ５４を引き上げて天秤５２を二点鎖線のように傾けるとフック５３が掛け爪５６から外れ、バネ片４９の付勢により蓋４１が僅かに開くので、その後は手動により大きく開いて使用前収納区画６８a の新しいカッターと取り替え、古いカッターは使用済み収納区画６８b に収納する。
【００２３】
図７は、この発明に係る開梱用カッターでカートン２９を開梱している状態を示し、図８は開梱後の状態を示し、梱包体の稜線に沿って正確にかつ内部の商品を瑕つけることなく安全に開梱できる。
【００２４】
上記開梱用カッターは、プラスチックの成形加工により得られるが、金属材料とくにアルミニウムまたは軽合金を採用しダイキャストを含む鋳造とすることもできる。
【００２５】
【発明の効果】
以上説明した如くこの発明によれば、カッターの付いた山形定規をカートンのコーナーに沿って滑らせるだけで、安全・確実に、素早く、内部の商品を疵つけることなく切り込みを入れ、カートンを開梱することができる。
【図面の簡単な説明】
【図１】（ａ）この発明に係る実施形態の一部切り欠き正面図
（ｂ）予備カッター箱の蓋を開いた状態の斜視図
【図２】（ａ）カッター挟持体の斜視図
（ｂ）蝶番を開いたカッター挟持体の平面図
【図３】（ａ）カッター挟持体装填説明図
（ｂ）カッター挟持体装填後の断面図
【図４】外観全体の斜視図
【図５】同側面図
【図６】裏から見た斜視図
【図７】使用状態説明図
【図８】開梱完了状態の斜視図
【図９】参考例の斜視図
【図１０】同開梱中の斜視図
【図１１】同カッターの切り込み状態の要部断面図
【図１２】従来の開梱作業状態の要部断面図
【符号の説明】
１０，４０  開梱用カッター
１１a 、１１b   アクリル板
１２，４２  山形定規
１２’  稜線部
１３  縁（４５度に削った）
１４  アクリル板（カッター取り付け板の）
１５  片縁
１６  切り込み
１７  磁石板
１８，４８  カッター
２０  カッター取り付け板
２１  窪み
２２  磁石板（予備カッター用）
２３  予備カッター
２４  収容部
２５  把手
２６  孔
２７  スリット
２９  カートン
３０  窪みライン
４１  蓋
４３  カッター保持部
４４  予備カッター箱
４５  カッター挟持体（挟持体）
４６  貫通孔
４７  ノッチ
４９  バネ片
５０  軸受け
５１  バネ（天秤を付勢）
５２  天秤
５３  フック
５４  摘まみ
５５a ，５５b   ヒンジ
５６  掛け爪
５７  窪み（カッター受入れ）
５８  突起
５９  孔
６０  Ω状バネ
６１  窪み（Ω状バネ用）
６２  切り欠き（蝶番を開く）
６３a   凸段部
６３b   凹段部
６４  蝶番
６５  凸条
６６  凹溝
６７  凸軌道
６８  収納区画（カッターの）
Ｓ  商品
【図１】
0003640894.tif 000002
【図２】
0003640894.tif 000003
【図３】
0003640894.tif 000004
【図４】
0003640894.tif 000005
【図５】
0003640894.tif 000006
【図６】
0003640894.tif 000007
【図７】
0003640894.tif 000008
【図８】
0003640894.tif 000009
【図９】
0003640894.tif 000010
【図１０】
0003640894.tif 000011
【図１１】
0003640894.tif 000012
【図１２】
0003640894.tif 000013